(57)【要約】【課題】左眼と右眼の視覚特性が異なるユーザに対しても、ユーザにとって見やすい画像を提示することで、ユーザの立体視を低コストで支援する。【解決手段】視差を有する左眼用映像と右眼用映像とを表示する立体映像表示装置であって、左眼用映像の画質を調整するための左眼用補正パラメータと、右眼用画像の画質を調整するための右眼用補正パラメータとを、記憶するための補正パラメータ記憶部１１と、左眼用補正パラメータと、右眼用補正パラメータとを、補正パラメータ記憶部１１に書き込む補正パラメータ設定部９と、補正パラメータ記憶部１１に記憶されている左眼用補正パラメータおよび右眼用補正パラメータを用いて、左眼用映像および右眼用映像の画質をそれぞれ調整する画質調整部１３とを備える。【選択図】図１
2012253471.tif 000002
【特許請求の範囲】
【請求項１】
視差を有する左眼用映像と右眼用映像とを表示する立体映像表示装置であって、
左眼用映像の画質を調整するための左眼用補正パラメータと、右眼用画像の画質を調整するための右眼用補正パラメータとを、記憶するための補正パラメータ記憶部と、
左眼用補正パラメータおよび右眼用補正パラメータを、前記補正パラメータ記憶部に書き込む補正パラメータ設定部と、
前記補正パラメータ記憶部に記憶されている前記左眼用補正パラメータおよび前記右眼用補正パラメータを用いて、前記左眼用映像および前記右眼用映像の画質をそれぞれ調整する画質調整部と
を備える立体映像表示装置。
【請求項２】
前記パラメータ記憶部に書き込まれる前記左眼用補正パラメータおよび前記右眼用補正パラメータは、前記立体映像表示装置のユーザの左眼および右眼の視覚特性をそれぞれ測定することにより決定される
請求項１に記載の立体映像表示装置。
【請求項３】
さらに、
前記ユーザの左眼および右眼の視覚特性を測定し、測定した左眼および右眼の視覚特性に基づいて、前記左眼用補正パラメータおよび前記右眼用補正パラメータをそれぞれ決定する視覚特性評価部を備え、
前記補正パラメータ設定部は、前記視覚特性評価部が決定した前記左眼用補正パラメータおよび前記右眼用補正パラメータを、前記補正パラメータ記憶部に書き込む
請求項２に記載の立体映像表示装置。
【請求項４】
前記視覚特性評価部は、
ユーザの視覚特性を測定するためのテスト画像を表示するテスト画像表示部と、
表示された前記テスト画像に対する前記ユーザの反応に応じて、前記ユーザの左眼および右眼の視覚特性をそれぞれ測定する視覚特性測定部と、
前記視覚特性測定部が測定した左眼および右眼の視覚特性に基づいて、前記左眼用補正パラメータおよび前記右眼用補正パラメータをそれぞれ決定する補正パラメータ決定部とを備える
請求項３に記載の立体映像表示装置。
【請求項５】
さらに、
前記立体映像表示装置のモードとして、前記左眼用映像および前記右眼用映像を表示するためのモードである一般視聴モードと、前記左眼用補正パラメータおよび前記右眼用補正パラメータを決定するためのモードであるユーザ視覚特性評価モードとを、外部からの指示に基づいて切り替える視聴モード切り替え部を備え、
前記画質調整部は、前記立体映像表示装置のモードが一般視聴モードである場合に、前記補正パラメータ記憶部に記憶されている前記左眼用補正パラメータおよび前記右眼用補正パラメータを用いて、前記左眼用映像および前記右眼用映像の画質をそれぞれ調整し、
前記視覚特性評価部は、前記立体映像表示装置のモードがユーザ視覚特性評価モードである場合に、前記ユーザの左眼および右眼の視覚特性を測定し、測定した左眼および右眼の視覚特性に基づいて、前記左眼用補正パラメータおよび前記右眼用補正パラメータをそれぞれ決定する
請求項３または４に記載の立体映像表示装置。
【請求項６】
さらに、
前記左眼用映像を透過させ前記右眼用映像を遮断するための左眼用シャッタと前記右眼用映像を透過させ前記左眼用映像を遮断する右眼用シャッタとを備える３Ｄメガネのシャッタの開閉を制御する３Ｄメガネ制御部を備え、
前記３Ｄメガネ制御部は、前記立体映像表示装置のモードがユーザ視覚特性評価モードである場合に、前記３Ｄメガネの前記左眼用シャッタおよび前記右眼用シャッタのうち、視覚特性の測定対象となっている眼に対応するシャッタを開くための制御を行い、反対の眼のシャッタを閉じるための制御を行う
請求項５に記載の立体映像表示装置。
【請求項７】
視差を有する左眼用映像と右眼用映像とを表示する立体映像表示方法であって、
左眼用映像の画質を調整するための左眼用補正パラメータ、および右眼用画像の画質を調整するための右眼用補正パラメータを、補正パラメータ記憶部に書き込み、
前記補正パラメータ記憶部に記憶されている前記左眼用補正パラメータおよび前記右眼用補正パラメータを用いて、前記左眼用映像および前記右眼用映像の画質をそれぞれ調整する
立体映像表示方法。
【発明の詳細な説明】
【技術分野】
【０００１】
本発明は、視差を有する左眼用映像と右眼用映像とを表示する立体映像表示装置に関する。
【背景技術】
【０００２】
近年、ブラウン管テレビに代わる大画面テレビとして、ＰＤＰ（プラズマディスプレイ）を用いた表示装置およびＬＣＤ（液晶ディスプレイ）を用いた表示装置の普及が急速に進んでいる。
【０００３】
このような表示装置では、その用途に応じて、１フレーム期間を多分割し、分割した時間毎に異なる映像を表示させる駆動（以下、「時分割駆動」という）が行われている。このような時分割駆動方式を用いた表示装置として、例えば、右眼用シャッタと左眼用シャッタとを備える３Ｄメガネを用いた立体映像表示装置、または、偏光フィルタメガネを用いた立体映像表示装置等が挙げられる、近年では、このような立体映像に対応したコンテンツの提供が増加しつつあることから、映像の立体視が可能となるテレビの開発も盛んに行われている。
【０００４】
ここで、３Ｄメガネを用いた立体映像表示装置では、１フレーム期間を２分割し、左眼用および右眼用の映像として視差を有する２つの映像を交互に切りかえて表示させる。また、この表示切り替えに同期してシャッタの開閉動作がなされる３Ｄメガネが用いられる。３Ｄメガネは、左眼用映像の表示期間は左眼用シャッタが開（右眼用シャッタは閉）、右眼用映像の表示期間は右眼用シャッタが開（左眼用シャッタは閉）となるように制御される。ユーザがこのような３Ｄメガネをかけて表示される映像を観察することにより立体視が実現される。
【０００５】
さらに、立体映像の臨場感を向上させるために、奥行き方向の情報（奥行き方向に沿った動きベクトル等）を利用し、フレームレート変換処理（フレーム補間処理）または画像処理（例えば、シャープネス処理等）を行うものがある（例えば、特許文献１参照）。
【０００６】
例えば、映像が奥に引き込まれる動作状態には、映像のシャープネスを下げ（映像をぼかし）、映像が手前に飛び出す動作状態には、映像のシャープネスを上げる（映像をくっきりさせる）処理を行うことで、飛び出してくる物体に眼の焦点が合うような見え方にしている。
【先行技術文献】
【特許文献】
【０００７】
【特許文献１】特開２０１１−０１９２０２号公報
【特許文献２】特開平０６−１４１２６４号公報
【発明の概要】
【発明が解決しようとする課題】
【０００８】
ところで、従来の立体映像の画質改善処理では、あくまでも両眼視覚特性（左眼および右眼の視覚特性）が等しい、すなわち、両眼視力、または左眼と右眼の調節力が等しい理論モデルをベースにして設計されているが、現実には左右の視力が異なる人の方が圧倒的に多い。つまり、従来は左眼用映像および右眼用映像に対して同じ画像処理を施す為、例えばユーザの左右の視力が異なる場合、両眼で同じ像を捉えられなくなるので立体視に必要な両眼視差が起こりにくくなるという問題点がある。さらに、両眼視覚特性がそれほど異ならず、通常は立体視できている人でも、対象物体の輝度やコントラスト、色の鮮明度によっては立体視がしづらくなることも十分考えられる。そこで、両眼視覚特性が異なるモデルを想定して、左右別々に映像のピントを合わせるメガネ型ビューアーがある（例えば、特許文献２参照）。ユーザは、両眼の前に別々に配置された小型の映像表示器から出力された表示映像を接眼レンズで拡大して観察する時に、両眼の前に取り付けられた接眼レンズを前後に移動させる。これにより、メガネ型ビューアーは、ユーザの視力に合わせて左右別々に映像のピントを合わせることで立体視支援を行う。
【０００９】
しかしながら、メガネ型ビューアーは、特殊メガネなどのデバイスによる視覚特性の補正が必要となるため、コストがかかるという問題がある。
【００１０】
本発明はかかる問題点を鑑みてなされたもので、左眼と右眼の視覚特性が異なるユーザに対しても、ユーザにとって見やすい画像を提示することで、ユーザの立体視を低コストで支援する立体映像表示装置および立体映像表示方法を提供することを目的とする。
【課題を解決するための手段】
【００１１】
上記目的を達成するために、本発明のある局面に係る立体映像表示装置は、視差を有する左眼用映像と右眼用映像とを表示する立体映像表示装置であって、左眼用映像の画質を調整するための左眼用補正パラメータと、右眼用画像の画質を調整するための右眼用補正パラメータとを、記憶するための補正パラメータ記憶部と、左眼用補正パラメータおよび右眼用補正パラメータを、前記補正パラメータ記憶部に書き込む補正パラメータ設定部と、前記補正パラメータ記憶部に記憶されている前記左眼用補正パラメータおよび前記右眼用補正パラメータを用いて、前記左眼用映像および前記右眼用映像の画質をそれぞれ調整する画質調整部とを備える。
【００１２】
この構成によると、左眼用補正パラメータを用いて左眼用映像の画質が調整され、右眼用補正パラメータを用いて右眼用映像の画質が調整される。このため、左眼用映像と右眼用映像とを個別に画質調整することができる。また、特殊メガネなどのデバイスによる視覚特性の補正も不要である。このため、左眼と右眼の視覚特性が異なるユーザに対しても、ユーザにとって見やすい画像を提示することで、ユーザの立体視を低コストで支援することができる。
【００１３】
好ましくは、前記パラメータ記憶部に書き込まれる前記左眼用補正パラメータおよび前記右眼用補正パラメータは、前記立体映像表示装置のユーザの左眼および右眼の視覚特性をそれぞれ測定することにより決定される。
【００１４】
両眼視覚特性に応じて左眼用補正パラメータおよび右眼用補正パラメータが決定される。このため、ユーザの両眼特性に応じた左眼用映像および右眼用映像を表示することができ、ユーザの立体視を支援することができる。
【００１５】
さらに好ましくは、上述の立体映像表示装置は、さらに、前記ユーザの左眼および右眼の視覚特性を測定し、測定した左眼および右眼の視覚特性に基づいて、前記左眼用補正パラメータおよび前記右眼用補正パラメータをそれぞれ決定する視覚特性評価部を備え、前記補正パラメータ設定部は、前記視覚特性評価部が決定した前記左眼用補正パラメータおよび前記右眼用補正パラメータを、前記補正パラメータ記憶部に書き込む。
【００１６】
両眼視覚特性に応じて左眼用補正パラメータおよび右眼用補正パラメータが決定される。このため、ユーザの両眼特性に応じた左眼用映像および右眼用映像を表示することができ、ユーザの立体視を支援することができる。
【００１７】
さらに好ましくは、前記視覚特性評価部は、ユーザの視覚特性を測定するためのテスト画像を表示するテスト画像表示部と、表示された前記テスト画像に対する前記ユーザの反応に応じて、前記ユーザの左眼および右眼の視覚特性をそれぞれ測定する視覚特性測定部と、前記視覚特性測定部が測定した左眼および右眼の視覚特性に基づいて、前記左眼用補正パラメータおよび前記右眼用補正パラメータをそれぞれ決定する補正パラメータ決定部とを備える。
【００１８】
測定対象の視覚特性に応じたテスト画像を表示することにより、様々な視覚特性に応じた補正パラメータを決定することができる。
【００１９】
また、上述の立体映像表示装置は、さらに、前記立体映像表示装置のモードとして、前記左眼用映像および前記右眼用映像を表示するためのモードである一般視聴モードと、前記左眼用補正パラメータおよび前記右眼用補正パラメータを決定するためのモードであるユーザ視覚特性評価モードとを、外部からの指示に基づいて切り替える視聴モード切り替え部を備え、前記画質調整部は、前記立体映像表示装置のモードが一般視聴モードである場合に、前記補正パラメータ記憶部に記憶されている前記左眼用補正パラメータおよび前記右眼用補正パラメータを用いて、前記左眼用映像および前記右眼用映像の画質をそれぞれ調整し、前記視覚特性評価部は、前記立体映像表示装置のモードがユーザ視覚特性評価モードである場合に、前記ユーザの左眼および右眼の視覚特性を測定し、測定した左眼および右眼の視覚特性に基づいて、前記左眼用補正パラメータおよび前記右眼用補正パラメータをそれぞれ決定しても良い。
【００２０】
一般視聴モードとユーザ視覚特性評価モードとを切り替えることにより、１台の立体映像表示装置の中で補正パラメータの決定と画質調整とを行うことができる。
【００２１】
また、上述の立体映像表示装置は、さらに、前記左眼用映像を透過させ前記右眼用映像を遮断するための左眼用シャッタと前記右眼用映像を透過させ前記左眼用映像を遮断する右眼用シャッタとを備える３Ｄメガネのシャッタの開閉を制御する３Ｄメガネ制御部を備え、前記３Ｄメガネ制御部は、前記立体映像表示装置のモードがユーザ視覚特性評価モードである場合に、前記３Ｄメガネの前記左眼用シャッタおよび前記右眼用シャッタのうち、視覚特性の測定対象となっている眼に対応するシャッタを開くための制御を行い、反対の眼のシャッタを閉じるための制御を行っても良い。
【００２２】
視覚特性の測定対象となっている眼に連動してシャッタの開閉制御が行われる。このため、遮眼子を用いることなく、３Ｄメガネを用いて、各眼の視覚特性を測定することができる。
【００２３】
なお、本発明は、このような特徴的な処理部を備える立体映像表示装置として実現することができるだけでなく、立体映像表示装置に含まれる特徴的な処理部が実行する処理をステップとする立体映像表示方法として実現することができる。また、立体映像表示装置に含まれる特徴的な処理部としてコンピュータを機能させるためのプログラムまたは立体映像表示方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２４】
本発明によると、左眼と右眼の視覚特性が異なるユーザに対しても、ユーザにとって見やすい画像を提示することで、ユーザの立体視を低コストで支援することができる。
【図面の簡単な説明】
【００２５】
【図１】本発明の実施の形態１に係る立体映像表示装置の構成を示すブロック図
【図２】図１の補正パラメータ記憶部の詳細な構成を示すブロック図
【図３】図１の視覚特性評価部の詳細な構成を示すブロック図
【図４】図３の視覚特性測定部の動作を示すフローチャート
【図５】空間周波数特性測定処理（図４のＳ１０３）を説明するフローチャート
【図６】テスト画像および図３の視覚特性測定部の動作を説明するための図
【図７】図３の補正パラメータ決定部が記憶している画質補正パラメータ管理テーブルの一例を示す図
【図８】本発明の実施の形態２に係る立体映像表示システムの構成を示すブロック図
【図９】表示部に表示される画質補正パラメータ管理テーブルの一例を示す図
【発明を実施するための形態】
【００２６】
（実施の形態１）
以下、本発明の実施の形態１に係る立体映像表示装置について説明する。
【００２７】
図１は、実施の形態１に係る立体映像表示装置の構成を示すブロック図である。
【００２８】
立体映像表示装置１は、視差を有する左眼用映像と右眼用映像とを表示する。
【００２９】
立体映像表示装置１は、視覚特性評価部１０と、補正パラメータ設定部９と、補正パラメータ記憶部１１と、補正パラメータ選択部１２と、画質調整部１３と、視聴モード切り替え部１４と、表示部１５と、映像順序制御部１６と、３Ｄメガネ制御部１７とを備える。
【００３０】
視覚特性評価部１０は、ユーザの視覚特性を測定し、測定結果に応じて画質補正に関するパラメータ（以下、「補正パラメータ」という）を決定する。補正パラメータには、例として、明度、彩度、カラーバランス、コントラスト、ガンマ、シャープネス、ＵＣＲ（Ｕｎｄｅｒ  Ｃｏｌｏｒ  Ｒｅｍｏｖａｌ）処理の対象となる色情報、スクリーン線数、ノイズ除去処理のためのパラメータなどの各種画質設定に対するパラメータがある。
【００３１】
つまり、視覚特性評価部１０は、ユーザの左眼および右眼の視覚特性を測定し、測定した左眼および右眼の視覚特性に基づいて、左眼用映像の画質を調整するための左眼用補正パラメータおよび右眼用画像の画質を調整するための右眼用補正パラメータをそれぞれ決定する。
【００３２】
補正パラメータ記憶部１１は、視覚特性評価部１０が決定した補正パラメータを格納する。つまり、補正パラメータ記憶部１１は、左眼用補正パラメータと、右眼用補正パラメータとを記憶する記憶装置である。補正パラメータ記憶部１１は、複数組の補正パラメータを格納することができる。例えば、補正パラメータ記憶部１１は、人物ごとに補正パラメータを格納していても良いし、同一人物であっても、朝、昼、晩等の時間ごとに補正パラメータを格納していても良い。
【００３３】
図２は、補正パラメータ記憶部１１の詳細な構成を示すブロック図である。補正パラメータ記憶部１１は、各々が右眼用補正パラメータを記憶しているＲ補正パラメータ記憶部１１１〜１１４と、各々が左眼用補正パラメータを記憶しているＬ補正パラメータ記憶部１１５〜１１８とを含む。Ｒ補正パラメータ記憶部１１１に記憶されている右眼用補正パラメータとＬ補正パラメータ記憶部１１５に記憶されている左眼用補正パラメータが一組の補正パラメータを構成している。同様に、Ｒ補正パラメータ記憶部１１２とＬ補正パラメータ記憶部１１６とに一組の補正パラメータが記憶され、Ｒ補正パラメータ記憶部１１３とＬ補正パラメータ記憶部１１７とに一組の補正パラメータが記憶され、Ｒ補正パラメータ記憶部１１４とＬ補正パラメータ記憶部１１８とに一組の補正パラメータが記憶される。
【００３４】
補正パラメータ設定部９は、視覚特性評価部１０が決定した左眼用補正パラメータおよび右眼用補正パラメータを、補正パラメータ記憶部１１に書き込む。
【００３５】
補正パラメータ選択部１２は、ユーザ入力部１９による選択指示に応じて補正パラメータ記憶部１１に格納された複数組の補正パラメータの中から一組の補正パラメータを選択する。なお、ユーザ入力部１９は、リモコン等のユーザ入力装置であり、ユーザによる各種選択指示を受け付ける。
【００３６】
映像順序制御部１６は、入力映像に含まれる左眼用映像および右眼用映像の出力順序の制御を行うことにより、左眼用画像および右眼用画像を交互に出力する。つまり、映像順序制御部１６は、左眼用映像に含まれる入力画像と右眼用映像に含まれる入力画像とを交互に出力することにより、左眼用画像および右眼用画像を交互に出力する。また、映像順序制御部１６は、現在出力している入力画像（Ｌ，Ｒ）（左眼用入力画像または右眼用入力画像）が、左眼用入力画像および右眼用入力画像のうちのどちらであるかを示すフラグである制御信号（Ｌ，Ｒ）を出力する。
【００３７】
画質調整部１３は、入力画像（Ｌ，Ｒ）に対して、通常の画質調整に加え、補正パラメータ選択部１２により選択された補正パラメータに基づいた画質調整を施し、補正画像（Ｌ，Ｒ）（左眼用補正画像または右眼用補正画像）を出力する。つまり、画質調整部１３は、補正パラメータ記憶部１１に記憶されている左眼用補正パラメータおよび右眼用補正パラメータを用いて、左眼用映像および右眼用映像の画質をそれぞれ調整する。
【００３８】
視聴モード切り替え部１４は、立体映像表示装置１のモードとして、左眼用映像および右眼用映像を表示するためのモードである一般視聴モードと、左眼用補正パラメータおよび右眼用補正パラメータを決定するためのモードであるユーザ視覚特性評価モードとを、ユーザ入力部１９からの指示に基づいて切り替える。
【００３９】
表示部１５は、視聴モード切り替え部１４で一般視聴モードが選択されている時には、入力映像に基づく映像表示を行う。具体的には、表示部１５は、左眼用補正画像および右眼用補正画像（補正画像（Ｌ，Ｒ））を、時分割駆動で左右交互に表示する。すなわち、表示部１５は、映像順序制御部１６から出力される制御信号（Ｌ，Ｒ）の値に従って、制御信号（Ｌ，Ｒ）が左眼用入力画像を示している場合には、左眼用補正画像を表示し、制御信号（Ｌ，Ｒ）が右眼用入力画像を示している場合には、右眼用補正画像を表示する。これにより、立体映像表示のための時分割駆動が行われる。
【００４０】
また、表示部１５は、視聴モード切り替え部１４でユーザ視覚特性評価モードが選択されている時には、ユーザの視覚特性を測定するためのテスト画像を表示する。テスト画像については後述する。
【００４１】
３Ｄメガネ制御部１７は、映像順序制御部１６から出力される制御信号（Ｌ，Ｒ）の値に従って、３Ｄメガネ１８のシャッタの開閉を制御する。３Ｄメガネ１８は、ユーザが３Ｄメガネ１８をかけた際に左眼の前面に配置される左眼用シャッタと右眼の前面に配置される右眼用シャッタとを含む。３Ｄメガネ制御部１７は、映像順序制御部１６から出力される制御信号（Ｌ，Ｒ）が左眼用入力画像を示している場合には、左眼用シャッタを開け、右眼用シャッタを閉じるための制御信号を３Ｄメガネ１８に送信し、映像順序制御部１６から出力される制御信号（Ｌ，Ｒ）が右眼用入力画像を示している場合には、右眼用シャッタを開け、左眼用シャッタを閉じるための制御信号を３Ｄメガネ１８に送信する。３Ｄメガネ１８は、３Ｄメガネ制御部１７から送信された制御信号に基づいて、左眼用シャッタおよび右眼用シャッタの開閉を制御する。
【００４２】
図３は、視覚特性評価部１０の詳細な構成を示すブロック図である。
【００４３】
視覚特性評価部１０は、テスト画像表示部１０１と、視覚特性測定部１０２と、補正パラメータ決定部１０３と、ユーザ操作部１０４と、制御部１０５とを備える。
【００４４】
テスト画像表示部１０１は、ユーザの視覚特性を測定するためのテスト画像を表示部１５に表示させる。つまり、テスト画像表示部１０１は、視覚特性測定開始時に、測定対象選択画像１５ａを表示部１５に表示させる。また、テスト画像表示部１０１は、ユーザ視覚特性を測定するためのテスト画像を表示部１５に表示させる。例えば、テスト画像パターン１５ｂを表示部１５に表示させる。
【００４５】
ユーザ操作部１０４は、ユーザ入力部１９から出力される選択指示を受信し、各処理部に出力する。
【００４６】
視覚特性測定部１０２は、表示部１５に表示されたテスト画像に対するユーザの反応をユーザ操作部１０４を介してユーザ入力部１９から受け、当該反応に応じて、ユーザの左眼および右眼の視覚特性をそれぞれ測定する。
【００４７】
補正パラメータ決定部１０３は、視覚特性測定部１０２が測定した左眼および右眼の視覚特性に基づいて、左眼用補正パラメータおよび右眼用補正パラメータをそれぞれ決定する。
【００４８】
制御部１０５は、各処理部を制御する。
【００４９】
次に、視覚特性測定部１０２の動作について図４に示すフローチャートに基づいて説明する。
【００５０】
視覚特性測定部１０２は、左眼、右眼のどちらの眼を検眼対象にするか選択する（ステップＳ１１４）。例えば、左眼を必ず選択するようにしても良いし、ランダムに選択しても良い。視覚特性測定部１０２は、テスト画像表示部１０１を介して、選択した結果を表示部１５に表示させるようにしても良い。ユーザは、表示部１５に表示された結果に従い、対象の眼を検眼する為に、例えば、遮眼子を使って対象でない方の眼を隠す。
【００５１】
なお、視覚特性測定部１０２は、選択結果を３Ｄメガネ制御部１７に通知することにより、選択結果と３Ｄメガネ１８のシャッタ制御とを連動させるようにしても良い。具体的には、３Ｄメガネ制御部１７は、左眼を検眼する場合には３Ｄメガネ１８の左眼用シャッタを開け、右眼用シャッタを閉じる制御を行い、右眼を検眼する場合には３Ｄメガネ１８の右眼用シャッタを開け、左眼用シャッタを閉じる制御を行う。
【００５２】
視覚特性測定部１０２は、空間周波数特性、焦点調節特性、分光特性の中からユーザ入力部１９によって選択された測定対象を判別する（ステップＳ１０１）。つまり、視覚特性測定部１０２は、測定対象選択画像１５ａにおいて、どの項目が選択されたかを判別することにより測定対象を判別する。
【００５３】
ステップＳ１０１での判別の結果、空間周波数特性が測定対象に選択された場合には、視覚特性測定部１０２は、空間周波数特性の測定を開始する（ステップＳ１０２）。そして、空間周波数特性を測定した後（ステップＳ１０３）、左眼および右眼の両眼それぞれで測定したかを判別する（ステップＳ１０４）。
【００５４】
ステップＳ１０４での判別の結果、一方でしか測定していない場合には検眼対象を変更し、ステップＳ１０３に戻る。
【００５５】
ステップＳ１０４での判別の結果、両眼それぞれで測定している場合には、視覚特性測定部１０２は、空間周波数測定を終了する（ステップＳ１０５）。
【００５６】
ステップＳ１０１での判別の結果、焦点調節特性が測定対象に選択された場合には、視覚特性測定部１０２は、焦点調節特性の測定を開始する（ステップＳ１０６）。そして、焦点調節特性の測定した後（ステップＳ１０７）、左眼および右眼の両眼それぞれで測定したかを判別する（ステップＳ１０８）。
【００５７】
ステップＳ１０８での判別の結果、一方でしか測定していない場合には検眼対象を変更し、ステップＳ１０７に戻る。
【００５８】
ステップＳ１０８での判別の結果、両眼それぞれで測定している場合には、視覚特性測定部１０２は、焦点調節特性測定を終了する（ステップＳ１０９）。
【００５９】
ステップＳ１０１での判別の結果、分光特性が測定対象に選択された場合には、視覚特性測定部１０２は、分光特性の測定を開始する（ステップＳ１１０）。そして、分光特性の測定した後（ステップＳ１１１）、左眼および右眼の両眼それぞれで測定したかを判別する（ステップＳ１１２）。
【００６０】
ステップＳ１１２での判別の結果、一方でしか測定していない場合には検眼対象を変更し、ステップＳ１１１に戻る。
【００６１】
ステップＳ１１２での判別の結果、両眼それぞれで測定している場合には、視覚特性測定部１０２は、分光特性測定を終了する（ステップＳ１１３）。
【００６２】
図５は、空間周波数特性測定処理（図４のＳ１０３）を説明するフローチャートである。
【００６３】
空間周波数特性を測定するには、幾つかの方法があるが、ここでは白黒縞模様のテスト画像を用いて空間周波数特性を測定する方法について説明する。
【００６４】
視覚特性測定部１０２は、処理開始時にテスト画像を表示部１５に表示し、ユーザが識別できるか否かを判別する（ステップＳ２０１）。図６に処理開始時に表示されるテスト画像１０２ａの一例を示す。
【００６５】
なお、ユーザが識別できたか否かの結果をユーザ入力部１９を用いて入力し、視覚特性測定部１０２は、ユーザ入力部１９への入力結果に基づいて識別できるか否かを判断しても良い。または、カメラ等を用いてユーザの眼の動きを検出することで、テスト画像を認識できるか否かを自動で判別するようにしてもよい。
【００６６】
テスト画像としては、例えば図６に示した白黒縞模様（テスト画像１０２ａ〜１０２ｅ）が用いられるものとする。このうち、テスト画像１０２ｃ、テスト画像１０２ｂ、テスト画像１０２ａ、テスト画像１０２ｄ、テスト画像１０２ｅの順に識別がし難い。
【００６７】
ステップＳ２０１での判別の結果、ユーザがテスト画像を識別できる場合には、視覚特性測定部１０２は、縞の幅を狭くすることで識別し難くされたテスト画像を表示部１５に表示して、ユーザが識別できるか否かを判別する（ステップＳ２０２）。
【００６８】
ステップＳ２０２での判別の結果、テスト画像を識別できる場合には、ステップＳ２０２に戻り、視覚特性測定部１０２は、より識別し難くされたテスト画像を表示部１５に表示して、ユーザが識別できるか否かを判別する。
【００６９】
ステップＳ２０１での判別の結果、ユーザがテスト画像を識別できない場合には、視覚特性測定部１０２は、縞の幅を広くすることで識別し易くされたテスト画像を表示部１５に表示して、ユーザが識別できるか否かを判別する（ステップＳ２０４）。
【００７０】
ステップＳ２０４での判別の結果、テスト画像を識別できない場合には、ステップＳ２０４に戻り、視覚特性測定部１０２は、より識別し易くされたテスト画像を表示部１５に表示して、ユーザが識別できるか否かを判別する。
【００７１】
ステップＳ２０２でテスト画像を識別できないと判別された場合、またはステップＳ２０４でテスト画像を識別できると判別された場合には、視覚特性測定部１０２は、判別結果に対応した測定結果を取得する（ステップＳ２０３）。
【００７２】
ステップＳ２０３で取得される測定結果は、図６のパターンＡ〜パターンＦのうちいずれかである。例えば、ステップＳ２０２でテスト画像１０２ｃが識別できないと判別された場合には、測定結果はパターンＢであり、ステップＳ２０４でテスト画像１０２ｄを識別できると判別された場合には、測定結果はパターンＤである。
【００７３】
焦点調節特性測定処理（図４のＳ１０７）および分光特性測定処理（図４のＳ１１１）においても、空間周波数特性測定処理（図４のＳ１０３）と同様に複数のテスト画像を表示部１５に表示し、ユーザが判別できるテスト画像に対応する測定結果を求めるようにしても良い。
【００７４】
例えば、焦点調節特性測定処理（図４のＳ１０７）を行う際には、互いに大きさの異なる文字を含むテスト画像を表示部１５に表示し、ユーザが判別できるテスト画像からユーザの焦点調節特性の測定結果である視力を求めるようにしても良い。
【００７５】
また、分光特性測定処理（図４のＳ１１１）を行う際には、互いにコントラストが異なるテスト画像を表示部１５に表示し、ユーザが判別できるテスト画像からユーザの分光特性の測定結果を求めるようにしても良い。
【００７６】
補正パラメータ決定部１０３は、視覚特性測定部１０２の結果に対応する補正パラメータ（画質調整パラメータ）を決定する。例えば、補正パラメータ決定部１０３は、図７に示すような画質補正パラメータ管理テーブル１０３ａを記憶しているものとする。画質補正パラメータ管理テーブル１０３ａは、測定結果パターン１０３ｂと、エッジ強調パラメータ１０３ｃとを対応付けて記憶している。
【００７７】
測定結果パターン１０３ｂは、図６で得られたパターンＡ〜パターンＦのいずれかを示し、エッジ強調パラメータ１０３ｃは、測定結果パターン１０３ｂに示されているパターンに応じた画質調整に係るパラメータの種類を表す。エッジ強調パラメータ１０３ｃは、値が大きいほど強調度合いが大きなエッジ強調処理が行なわれる。例えば、視覚特性測定部１０２での測定結果がパターンＢである場合には、補正パラメータ決定部１０３は、エッジ強調パラメータとして「２」を選択する。
【００７８】
また、測定結果パターン１０３ｂは、焦点調節特性の測定結果および分光特性測定結果の測定結果に対しても、同様に補正パラメータを求めても良い。例えば、焦点調節特性の測定結果が悪い場合（視力が低い場合）には、強調度合いが大きなエッジ強調処理を行なうための補正パラメータを求めても良い。また、分光特性測定結果の測定結果が悪い場合（低コントラストの画像を識別することができない場合）には、コントラストの強調度合いが大きなコントラスト強調処理を行なうための補正パラメータを求めても良い。
【００７９】
以上説明したように、本実施の形態に係る立体映像表示装置１によると、左眼用補正パラメータを用いて左眼用映像の画質が調整され、右眼用補正パラメータを用いて右眼用映像の画質が調整される。このため、左眼用映像と右眼用映像とを個別に画質調整することができる。また、特殊メガネなどのデバイスによる視覚特性の補正も不要である。このため、左眼と右眼の視覚特性が異なるユーザに対しても、ユーザにとって見やすい画像を提示することで、ユーザの立体視を低コストで支援することができる。
【００８０】
また、測定対象の視覚特性に応じたテスト画像を表示することにより、様々な視覚特性に応じた補正パラメータを決定することができる。
【００８１】
また、一般視聴モードとユーザ視覚特性評価モードとを切り替えることにより、１台の立体映像表示装置の中で補正パラメータの決定と画質調整とを行うことができる。
【００８２】
また、視覚特性の測定対象となっている眼に連動して３Ｄメガネ１８のシャッタの開閉制御が行うこともできる。このため、遮眼子を用いることなく、３Ｄメガネ１８を用いて、各眼の視覚特性を測定することができる。
【００８３】
（実施の形態２）
次に、本発明の実施の形態２に係る立体映像表示システムについて説明する。
【００８４】
図８は、実施の形態２に係る立体映像表示システムの構成を示すブロック図である。
【００８５】
立体映像表示システムは、場所Ａに設置された視覚特性評価装置３と、場所Ｂに設置された立体映像表示装置２とを備える。場所Ａと場所Ｂとは同じ場所であっても良いし、異なる場所であっても良い。
【００８６】
視覚特性評価装置３は、ユーザの両眼視覚特性を決定する装置であり、視覚特性評価部３０と、表示部３１とを含む。
【００８７】
視覚特性評価部３０は、図１に示した視覚特性評価部１０と同様の構成を有する。
【００８８】
ユーザ入力部３２は、リモコン等のユーザ入力装置であり、ユーザによる各種選択指示を、視覚特性評価部３０に出力する。
【００８９】
表示部３１は、視覚特性評価部３０が生成するテスト画像を表示する。
【００９０】
視覚特性評価部３０は、図１に示す視覚特性評価部１０と同様に補正パラメータを出力するが、その結果は表示部３１に表示される。表示部３１には、例えば、図９に示すような画質補正パラメータ管理テーブル１０３ａが表示され、視覚特性評価部１０が決定した測定結果およびその測定結果に対応する補正パラメータが強調表示される。図９では、測定結果が「パターンＡ」であり、補正パラメータが「１」であることが強調表示されている。
【００９１】
ユーザは場所Ａでの両眼視覚特性評価結果として、例えば、エッジ強調パラメータ１０３ｃの値「１」を得て、場所Ｂに持ち帰る。
【００９２】
立体映像表示装置２は、補正パラメータ設定部２０と、補正パラメータ記憶部１１と、補正パラメータ選択部１２と、画質調整部１３と、表示部１５と、映像順序制御部１６と、３Ｄメガネ制御部１７とを備える。図１に示した立体映像表示装置１の処理部と同様の処理部については同じ参照符号を付し、その説明を繰り返さない。
【００９３】
補正パラメータ設定部２０は、視覚特性評価部３０で出力される補正パラメータを設定するための処理部である。
【００９４】
ユーザは、場所Ａにて得られた補正パラメータ「１」を、ユーザ入力部１９を用いて入力する。入力された補正パラメータの値は、補正パラメータ設定部２０に送信され、補正パラメータ設定部２０が補正パラメータ記憶部１１に補正パラメータの値を記憶する。これにより、ユーザの両眼視覚特性に応じた立体映像表示を、ユーザは視聴することができる。
【００９５】
以上説明したように、実施の形態２に係る立体映像表示システムによると、補正パラメータの決定を、立体映像表示装置２が設置されている場所とは異なる場所で行うことができる。
【００９６】
以上、本発明の立体映像装置について実施の形態に基づいて説明したが、本発明はこの実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【００９７】
例えば、上述の実施の形態では、予め格納されたテスト画像を選択して用いたが、テスト画像を放送波から取得してもよい。
【００９８】
また、図７に示したエッジ強調パラメータ「１」を、何にもエッジ強調をしない処理に対応するパラメータとしても良い。通常は、画質調整部１３は、デフォルトで何らかのエッジ強調処理を行なう。しかし、エッジ強調パラメータ「１」となるユーザの眼の空間周波数特性はエッジ強調処理をする必要がない程度に高い場合がある。このため、エッジ強調パラメータが「１」の場合には、デフォルトのエッジ強調処理すら行なわないようにすることにより、消費電力を削減することができる。
【００９９】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１００】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１０１】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１０２】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１０３】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【０１０４】
また、本発明は、上記コンピュータプログラムまたは上記デジタル信号を、電気通信回線、無線または有線通信回線、インターネットを代表とするネットワーク、データ放送等を経由して伝送するものとしても良い。
【０１０５】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０６】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１０７】
さらに、上記実施の形態及び上記変形例をそれぞれ組み合わせるとしても良い。
【０１０８】
なお、本発明の立体映像表示装置に必須の構成要素は、補正パラメータ記憶部と、補正パラメータ設定部と、画質調整部とであり、それ以外の構成要素は必ずしも備えられていなくても良い。
【産業上の利用可能性】
【０１０９】
本発明の立体映像表示装置は、両眼視覚特性の異なるユーザに対して画質調整により、より立体視を容易にするという特徴を有するので、３Ｄ対応のテレビ、パーソナルコンピュータ、ゲーム機器など、各種の情報処理装置に利用することができる。
【符号の説明】
【０１１０】
１、２  立体映像表示装置
３  視覚特性評価装置
９、２０  補正パラメータ設定部
１０、３０  視覚特性評価部
１１  補正パラメータ記憶部
１２  補正パラメータ選択部
１３  画質調整部
１４  視聴モード切り替え部
１５、３１  表示部
１５ａ  測定対象選択画像
１５ｂ  テスト画像パターン
１６  映像順序制御部
１７  ３Ｄメガネ制御部
１８  ３Ｄメガネ
１９、３２  ユーザ入力部
１０１  テスト画像表示部
１０２  視覚特性測定部
１０２ａ〜１０２ｅ  テスト画像
１０３  補正パラメータ決定部
１０３ａ  画質補正パラメータ管理テーブル
１０３ｂ  測定結果パターン
１０３ｃ  エッジ強調パラメータ
１０４  ユーザ操作部
１０５  制御部
１１１〜１１８  補正パラメータ記憶部
【図１】
2012253471.tif 000003
【図２】
2012253471.tif 000004
【図３】
2012253471.tif 000005
【図４】
2012253471.tif 000006
【図５】
2012253471.tif 000007
【図６】
2012253471.tif 000008
【図７】
2012253471.tif 000009
【図８】
2012253471.tif 000010
【図９】
2012253471.tif 000011